(57)【要約】【課題】哺乳瓶本体から外した際に安定して載置できる哺乳瓶用キャップを提供する。また、哺乳瓶本体に取り付けた状態で、乳首の視認性に優れる哺乳瓶用キャップを提供する。さらに、哺乳瓶本体からの取り外しが容易にできる哺乳瓶用キャップを提供する。【解決手段】本発明に係る哺乳瓶用キャップ１は、内部が空洞で外形状がドーム状に形成された樹脂製の部材からなり、正面側に下方に向かって傾斜する傾斜平面部１ｂを有し、少なくとも傾斜平面部１ｂの領域は透明になっており、かつ傾斜平面部１ｂの領域内に凹陥する凹陥部７を有することを特徴とするものである。【選択図】  図１
2015016219.tif 000002
【特許請求の範囲】
【請求項１】
哺乳瓶本体の上部に設けられた乳首を覆うように前記哺乳瓶本体に着脱自在に取り付けられる哺乳瓶用キャップであって、
内部が空洞で外形状がドーム状に形成された樹脂製の部材からなり、正面側に下方に向かって傾斜する傾斜平面部を有し、少なくとも該傾斜平面部の領域は透明になっており、かつ該傾斜平面部の領域内に凹陥する凹陥部を有することを特徴とする哺乳瓶用キャップ。
【請求項２】
前記凹陥部は、湾曲する湾曲面からなることを特徴とする請求項１記載の哺乳瓶用キャップ。
【請求項３】
哺乳瓶用キャップの正面側の下部縁部に、前記哺乳瓶本体に係合する係合片が設けられていることを特徴とする請求項１又は２に記載の哺乳瓶用キャップ。
【請求項４】
ドーム形状の上下方向の中程に全周に亘るくびれ部を有し、該傾斜平面部が上端近傍から前記くびれ部に至る範囲に形成され、前記傾斜平面部の形状は、上半分が半円となり、下半分が下方に向かって幅狭となる先丸の逆三角形になっていることを特徴とする請求項１乃至３のいずれか一項に記載の哺乳瓶用キャップ。
【請求項５】
少なくとも背面側半分が半透明になっていることを特徴とする請求項１乃至４のいずれか一項に記載の哺乳瓶用キャップ。
【発明の詳細な説明】
【技術分野】
【０００１】
本発明は、乳首を覆うように哺乳瓶本体に着脱自在に取り付けられる哺乳瓶用キャップに関する。
【背景技術】
【０００２】
哺乳瓶用キャップとして、例えば特許文献１に開示されたものがある。
特許文献１の哺乳瓶用キャップは、全体が略ドーム状になっており、正面に略楕円状の平面部が形成されている。
【先行技術文献】
【特許文献】
【０００３】
【特許文献１】意匠登録第１３９４４５６号公報
【発明の概要】
【発明が解決しようとする課題】
【０００４】
特許文献１の哺乳瓶用キャップにおける傾斜面部を設ける意義は不明であるが、仮に当該部分を載置の際の載置面としたとしても、安定性に欠けるという問題がある。何故なら、特許文献１の平面部はドームの上下方向に延びる楕円形状であるため、ドームの周方向の径が短く、周方向への転がりに対する安定性に欠けるからである。
また、特許文献１では、哺乳瓶キャップの外し方については特に言及されず、特定の外し方を示唆する構成も存在しない。そのため、哺乳瓶用キャップを外す際には、キャップ全体を掴むことになると考えられるが、そのような動作では外しにくいという問題がある。仮に、傾斜面に沿って平面部を指で押し上げるようにするとしても、指掛け等がないので押し上げ力が一定せずに、哺乳瓶キャップが外し難くいという問題もある。つまり、哺乳瓶キャップへの力が小さいと外れないし、力が大きすぎると蓋が過度に変形したり、あるいは外した時に飛んで行ってしまったりすることが考えられる。
さらに、特許文献１の哺乳瓶用キャップは、透明との記載がないが、仮に透明であったとしても、内部の乳首を見やすいとは言えない。特に、乳首は消耗品であり、消耗が進むことで汚れが付着しやすくなり、清潔に保つことができなくなることから、消耗の度合いを確認したいという要請があるところ、単に透明なだけでは確認を十分にできるとは言えない。
【０００５】
本発明はかかる課題を解決するためになされたものであり、哺乳瓶本体からの取り外しが容易にできる哺乳瓶用キャップを提供する。また、哺乳瓶本体に取り付けた状態で、乳首の視認性に優れる哺乳瓶用キャップを提供する。さらに、哺乳瓶本体から外した際に安定して載置できる哺乳瓶用キャップを提供する。
【課題を解決するための手段】
【０００６】
（１）本発明に係る哺乳瓶用キャップは、哺乳瓶本体の上部に設けられた乳首を覆うように前記哺乳瓶本体に着脱自在に取り付けられる哺乳瓶用キャップであって、
内部が空洞で外形状がドーム状に形成された樹脂製の部材からなり、正面側に下方に向かって傾斜する傾斜平面部を有し、少なくとも該傾斜平面部の領域は透明になっており、かつ該傾斜平面部の領域内に凹陥する凹陥部を有することを特徴とするものである。
【０００７】
（２）また、上記（１）に記載のものにおいて、前記凹陥部は、湾曲する湾曲面からなることを特徴とするものである。
【０００８】
（３）また、上記（１）又は（２）に記載のものにおいて、哺乳瓶用キャップの正面側の下部縁部に、前記哺乳瓶本体に係合する係合片が設けられていることを特徴とするものである。
【０００９】
（４）また、上記（１）乃至（３）のいずれかに記載のものにおいて、ドーム形状の上下方向の中程に全周に亘るくびれ部を有し、該傾斜平面部が上端近傍から前記くびれ部に至る範囲に形成され、前記傾斜平面部の形状は、上半分が半円となり、下半分が下方に向かって幅狭となる先丸の逆三角形になっていることを特徴とするものである。
【００１０】
（５）また、上記（１）乃至（４）のいずれかに記載のものにおいて、少なくとも背面側半分が半透明になっていることを特徴とするものである。
【発明の効果】
【００１１】
本発明においては、傾斜平面部の領域内に凹陥する凹陥部を有することにより、哺乳瓶本体からの取り外しが容易にできる。
また、凹陥部が透明であり、かつ凹陥部を湾曲面にしたことにより、凹レンズと類似の作用により、哺乳瓶キャップ内にある乳首の細部をより鮮明に視認することができる。
さらに、傾斜平面部の形状が上半分が半円となり、下半分が下方に向かって幅狭となる先丸の逆三角形になっており、哺乳瓶用キャップを外した際にテーブル等に安定して載置できる。
【図面の簡単な説明】
【００１２】
【図１】本発明の実施の形態１に係る哺乳瓶用キャップの正面図である。
【図２】本発明の実施の形態１に係る哺乳瓶用キャップの側面図である。
【図３】本発明の実施の形態１に係る哺乳瓶用キャップの平面図である。
【図４】本発明の実施の形態１に係る哺乳瓶用キャップの底面図である。
【図５】図３における哺乳瓶用キャップのＡ−Ａ矢視断面図である。
【図６】図３における哺乳瓶用キャップのＢ−Ｂ矢視断面図である。
【図７】本発明の実施の形態１に係る哺乳瓶用キャップの取り外し方法の説明図である。
【図８】本発明の実施の形態１に係る哺乳瓶用キャップの哺乳瓶本体取り付けた状態における正面図である。
【図９】本発明の実施の形態１に係る哺乳瓶用キャップの哺乳瓶本体取り付けた状態における縦断面図である。
【図１０】乳首の他の態様の縦断面図である。
【図１１】本発明の実施の形態２に係る哺乳瓶用キャップの正面図である。
【図１２】本発明の実施の形態２に係る哺乳瓶用キャップの側面図である。
【図１３】本発明の実施の形態２に係る哺乳瓶用キャップの他の態様の正面図である。
【図１４】本発明の実施の形態２に係る哺乳瓶用キャップの他の態様の側面図である。
【発明を実施するための形態】
【００１３】
[実施の形態１]
本実施の形態の哺乳瓶用キャップ１は、図８、図９に示すように、哺乳瓶本体３の上部に設けられた乳首５を覆うように哺乳瓶本体３に着脱自在に取り付けられる哺乳瓶用キャップ１である。
以下、図１〜図１０に基づいて詳細に説明する。
哺乳瓶用キャップ１は、図１および図２に示すように、内部が空洞（図４〜図６参照）で外形状がドーム状に形成された樹脂製の透明の部材からなる。本実施の形態では、ドーム形状の上下方向の中程に全周に亘るくびれ部１ａを有している（図１、図２、図５および図６参照）。
そして、正面側に下方に向かって傾斜する傾斜平面部１ｂを有している。傾斜平面部１ｂは、上端近傍からくびれ部１ａに至る範囲に形成されている。その結果、傾斜平面部１ｂの形状は、上半分が半円となり、下半分が下方に向かって幅狭となる先丸の逆三角形になっており、全体形状が上下を逆にした涙形状をしている。
【００１４】
傾斜平面部１ｂは、哺乳瓶用キャップ１を哺乳瓶本体３から外したときに、テーブル等に載置する際の載置部として機能する。そして、傾斜平面部１ｂの形状が、上記のような涙形状になっていることで、接地面積が広く、安定して載置できるという効果を奏している。より具体的には、上半分が半円となることで、特許文献１の略楕円状よりも周方向の長さが長く、載置状態の哺乳瓶用キャップ１に周方向の外力が作用した場合にも転がり難くなっている。
【００１５】
傾斜平面部１ｂの領域内には、凹陥部７が形成されている（図６参照）。
凹陥部７は、哺乳瓶用キャップ１を外す際に、指を掛ける指掛け部として機能する。指掛けの態様の一例を図７に示す。図７に示すように、凹陥部７に親指を掛けて図中の矢印で示す方向に押し上げるようにすることで、哺乳瓶用キャップ１を簡単に外すことができる。
【００１６】
なお、凹陥部７の形状としては、取り外しの際の指掛けとして機能させるのみであれば、特に形状は問わない。しかし、本実施の形態の哺乳瓶用キャップ１は全体が透明であり、当然に凹陥部７も透明であることから、凹陥部７の形状を湾曲面とすることで、凹レンズと類似の作用により、哺乳瓶用キャップ１内の乳首５の細部を鮮明に見ることができるという効果を奏することができる。
【００１７】
凹陥部７の設けられている部位は、哺乳瓶用キャップ１を哺乳瓶本体３に装着した状態で、図９に示すように、乳首５のくびれの部位に対応している。このようにした理由について以下に詳細に説明する。
図１０は乳首の他の態様を示したものである。乳首は種々のものが市販されているが、例えば、図１０に示す乳首６は、くびれの部位の内周面に、乳児が吸い付いたときの乳首６の伸縮を最適化するための螺旋状の螺旋溝部６ａを形成したものである。このような乳首６においては、螺旋溝部６ａに、例えば汚れなどが付着する可能性があるが、凹陥部７が乳首６のくびれの部位に対応しているので、汚れを確認しやすいという効果を奏する。
【００１８】
哺乳瓶用キャップ１の縁部には、図４に示す通り、哺乳瓶本体３の係合溝３ａ（図９参照）に係合する係合片１ｃが等間隔で複数（３つ）設けられている。そのうちの一つは、哺乳瓶用キャップ１の正面側に配置されている。
正面側には、上述したとおり、指掛けとして機能する凹陥部７が設けられているので、この凹陥部７が設けられている同じ正面側に係合片１ｃを設けることで、凹陥部７に指を掛けて哺乳瓶用キャップ１を押し上げたときに係合片１ｃの哺乳瓶本体３への係合が外れやすい。つまり、哺乳瓶キャップ１に安定した力を作用させることができ、哺乳瓶用キャップ１を簡単に外すことができるという効果を奏する。
【００１９】
以上のように構成された哺乳瓶用キャップ１においては、傾斜平面部１ｂに設けた凹陥部７が哺乳瓶用キャップ１を外す際の指掛け部として機能し、着脱が容易である。しかも、凹陥部７が設けられている同じ正面側に係合片１ｃが設けられているので、係合片１ｃの係合を外しやすく、哺乳瓶用キャップ１をより簡単に外すことができる。また、凹陥部７の形状を湾曲面にしているので、凹レンズと類似の作用により、哺乳瓶用キャップ１内の乳首５の細部を鮮明に視認することができ、汚れ等の確認し易い。
さらに、傾斜平面部１ｂの形状が涙形状になっており、哺乳瓶用キャップ１を外した際にテーブル等に安定して載置できる。
【００２０】
[実施の形態２]
実施の形態１においては、哺乳瓶用キャップ１の全体を透明にする例を示した。本実施の形態の哺乳瓶用キャップ９は、図１１に示すように、傾斜平面部９ｂおよび傾斜平面部９ｂに連続する正面部のみを透明にし、その他の部位を半透明にしたものである。なお、図１１において、半透明の部位を灰色で示している。
半透明にする方法は特に限定されないが、例えば成形用の金型にしぼ加工を施したり、ブラスト加工を施したりすればよい。
【００２１】
このように、正面側のみを透明にして他の部位を半透明にすることで、哺乳瓶用キャップを装着した状態で乳首５を見る際に、背景が半透明となることで手前に配置された乳首５が浮かび上がるようになり、より鮮明に乳首５を視認することができる。
なお、このような効果を奏するには、乳首５の背面側の背景が半透明であればよいので、例えば、図１３（正面図）および図１４（側面図）に示す哺乳瓶用キャップ１１のように、哺乳瓶用キャップ１１の背面側半分が半透明であればよい。
【符号の説明】
【００２２】
１  哺乳瓶用キャップ（実施の形態１）
１ａ  くびれ部
１ｂ  傾斜平面部
１ｃ  係合片
３  哺乳瓶本体
３ａ  係合溝
５  乳首
６  乳首（他の態様）
６ａ  螺旋溝部
７  凹陥部
９  哺乳瓶用キャップ（実施の形態２）
９ａ  くびれ部
９ｂ  傾斜平面部
１１  哺乳瓶用キャップ（他の態様）
１１ａ  くびれ部
１１ｂ  傾斜平面部
【図１】
2015016219.tif 000003
【図２】
2015016219.tif 000004
【図３】
2015016219.tif 000005
【図４】
2015016219.tif 000006
【図５】
2015016219.tif 000007
【図６】
2015016219.tif 000008
【図７】
2015016219.tif 000009
【図８】
2015016219.tif 000010
【図９】
2015016219.tif 000011
【図１０】
2015016219.tif 000012
【図１３】
2015016219.tif 000013
【図１１】
2015016219.tif 000014
【図１２】
2015016219.tif 000015
【図１４】
2015016219.tif 000016